(57)【要約】      （修正有）【課題】基地局と端末との間で転送されるシンボル内のパイロットシーケンス要素の量を増大させる。【解決手段】各チャネルはダウンリンクサブフレーム及びアップリンクサブフレームに分割されるフレームをサポートし、各ダウンリンクサブフレームは少なくとも２つの端末に送信される複数のシンボルを含み、基地局と、時間遅延中に少なくとも１つの補助シンボルを受信又は送信できる少なくとも１つの端末との間で上記少なくとも１つの補助シンボルを転送することができ、当該方法は、転送すべきシンボルを転送するための無線通信システムの多重化資源を得るステップと、得られた少なくとも1つの多重化資源に１組のパイロットシーケンス要素を割り当てるステップと、少なくとも1つの補助シンボルを転送するステップであって、補助シンボルは少なくとも、１組のパイロットシーケンス要素により形成される、転送するステップとを含む伝送方法。【選択図】図１
2008125067.tif 000002
【特許請求の範囲】
【請求項１】
双方向通信チャネルを介して端末と通信することを目的とする少なくとも１つの基地局を含む無線通信システムでの伝送方法であって、
各チャネルは、ダウンリンクサブフレーム及びアップリンクサブフレームに分割されるフレームをサポートし、
各ダウンリンクサブフレームは、少なくとも２つの端末に送信されることを目的とする複数のシンボルを含み、
接続される各端末の時間遅延が求められ、
前記時間遅延は、任意の端末が、前記アップリンクサブフレームが後続する前記ダウンリンクサブフレームに含まれるすべての前記シンボルを受信した後、前記基地局による前記ダウンリンクサブフレームの送信終了から距離に関わらず一定である所定のガード期間だけ隔てられた時刻に、送信可能な他のシンボルが前記基地局により受信されるように、前記アップリンクサブフレームを介して前記時間遅延で前記他のシンボルを送信することができるようなものであり、
前記基地局と、前記時間遅延中に少なくとも１つの補助シンボルを受信又は送信できる少なくとも１つの端末との間で、前記少なくとも１つの補助シンボルを転送することができる
方法において、
前記方法は、
転送すべきシンボルを転送するための前記無線通信システムの多重化資源を得るステップと、
得られた少なくとも1つの多重化資源に１組のパイロットシーケンス要素を割り当てるステップと、
前記少なくとも1つの補助シンボルを転送するステップであって、前記補助シンボルは少なくとも前記１組のパイロットシーケンス要素により形成される、転送するステップと
を含むことを特徴とする、方法。
【請求項２】
前記無線通信ネットワークの前記多重化資源は、周波数チャンク、及び／又は符号、及び／又は前記基地局のカバーエリア内の複数のエリアであることを特徴とする、請求項１に記載の方法。
【請求項３】
前記基地局により実行されることを特徴とする、請求項１又は２に記載の方法。
【請求項４】
前記多重化資源は、前記基地局と前記基地局に接続される各端末との間に存在する前記チャネルの状況を解析することにより得られることを特徴とし、かつ、
前記基地局は、前記少なくとも１組のパイロットシーケンス要素を復調するために、前記無線通信システムの前記多重化資源を少なくとも２つの端末に割り振ることを特徴とする、請求項３に記載の方法。
【請求項５】
１組のパイロットシーケンス要素が、得られた各多重化資源に割り当てられ、
各補助シンボルは前記組のパイロットシーケンス要素により形成されることを特徴とする、請求項３又は４に記載の方法。
【請求項６】
１組のパイロットシーケンス要素が、１つの端末に割り振られる複数の前記多重化資源の中の１つの多重化資源に割り当てられることを特徴とする、請求項３又は４に記載の方法。
【請求項７】
少なくとも１組のパイロットシーケンス要素が、少なくとも１つの補助シンボルを受信できる端末のみに対して、前記得られた多重化資源の中の少なくとも１つの多重化資源に割り当てられることを特徴とする、請求項３又は４に記載の方法。
【請求項８】
端末により実行されることを特徴とする、請求項１又は２に記載の方法。
【請求項９】
前記多重化資源は、前記基地局からメッセージを受信することにより得られることを特徴とする、請求項８に記載の方法。
【請求項１０】
１組のパイロットシーケンス要素が、得られた各多重化資源に割り当てられることを特徴とする、請求項８又は９に記載の方法。
【請求項１１】
前記１組のパイロットシーケンス要素が、複数の前記得られた多重化資源の中の１つの多重化資源に割り当てられることを特徴とする、請求項８又は９に記載の方法。
【請求項１２】
少なくとも１組のパイロットシーケンス要素が、複数の前記得られた多重化資源の中の少なくとも１つの多重化資源に割り当てられ、
少なくとも１組のパイロットシーケンス要素が、前記複数の前記得られた多重化資源と異なる少なくとも１つの多重化資源に割り当てられることを特徴とする、請求項８又は９に記載の方法。
【請求項１３】
双方向通信チャネルを介して端末と通信することを目的とする少なくとも１つの基地局を有する無線通信システムでの通信装置であって、
各チャネルは、ダウンリンクサブフレーム及びアップリンクサブフレームに分割されるフレームをサポートし、
各ダウンリンクサブフレームは、少なくとも２つの端末に送信されることを目的とする複数のシンボルを含み、
接続される各端末の時間遅延が求められ、
前記時間遅延は、任意の端末が、前記アップリンクサブフレームが後続する前記ダウンリンクサブフレームに含まれるすべての前記シンボルを受信した後、前記基地局による前記ダウンリンクサブフレームの送信終了から距離に関わらず一定である所定のガード期間だけ隔てられた時刻に、送信可能な他のシンボルが前記基地局により受信されるように、前記アップリンクサブフレームを介して前記時間遅延で前記他のシンボルを送信することができるようなものであり、
前記基地局と、前記時間遅延中に少なくとも１つの補助シンボルを受信又は送信できる少なくとも１つの端末との間で前記少なくとも１つの補助シンボルを転送することができる
通信装置において、
前記通信装置は、
転送すべきシンボルを転送するための前記無線通信システムの多重化資源を得る手段と、
得られた少なくとも1つの多重化資源に１組のパイロットシーケンス要素を割り当てる手段と、
前記少なくとも1つの補助シンボルを転送する手段であって、前記補助シンボルは少なくとも前記１組のパイロットシーケンス要素により形成される、転送する手段と
を備えることを特徴とする、通信装置。
【請求項１４】
前記基地局又は端末内に含まれることを特徴とする、請求項１３に記載の通信装置。
【請求項１５】
プログラマブル装置に直接ロードすることができるコンピュータプログラムであって、プログラマブル装置で実行されると、請求項１〜１２に記載の方法のステップを実施する命令又はコード部分を含む、コンピュータプログラム。
【発明の詳細な説明】
【技術分野】
【０００１】
本発明は、包括的には通信システムに関し、特に、双方向通信チャネルを介して端末と通信することを目的とする少なくとも１つの基地局を含む無線通信システムでの伝送方法及び伝送装置に関する。
【０００２】
無線通信システムには、移動端末が長い距離を時に機敏に移動できる移動通信システムだけでなく、端末が固定されるか、又は、接続される基地局に対して短い距離を、多くの場合は非常にゆっくりと移動することしかできない通信システムも含まれることに留意されたい。
【０００３】
図１は、複数の基地局によりサービス提供される無線セルラ通信システムを図示する。図１では、１つのみの基地局ＢＴＳが示されているが、基地局ＢＴＳは、少なくとも１つの端末、ここでは無線通信チャネルＣｈ１〜Ｃｈ３のそれぞれを介して３つの端末ＴＥ１、ＴＥ２、及びＴＥ３と通信することを目的とする。
【０００４】
図１では、端末ＴＥ１は基地局ＢＴＳから距離ｄ１にあり、端末ＴＥ２は基地局ＢＴＳから距離ｄ２にあり、端末ＴＥ３は基地局ＢＴＳから距離ｄ３にある。基地局ＢＴＳのカバーエリアは一般的にセル１５と呼ばれ、当該セルの境界は基地局から最大と考えられる距離にある。
【０００５】
各チャネルＣｈｉ（ｉ＝１〜３）は、端末ＴＥｉから基地局ＢＴＳへ情報を搬送するためのアップリンクチャネルＵＬ、及び、基地局ＢＴＳから端末ＴＥｉへ情報を搬送するためのダウンリンクチャネルＤＬｉをサポートすることを目的としている。上記情報は、アップリンクチャネルＵＬｉ若しくはダウンリンクチャネルＤＬｉのいずれかに割り当てられるタイムスロット又はサブフレームに分割されたフレーム内に含まれる。
【０００６】
フレームは、たとえば、図４に示すタイプを有する。すなわち、ＨＤ／ＯＦＤＭタイプ（半二重（Half Duplex）／直交周波数分割多重（Orthogonal Frequency Division Multiplex）の略語）であるＴＤＤ／ＯＦＤＭ（時分割複信／ＯＦＤＭ）又はＦＤＤ／ＯＦＤＭ（周波数分割複信）のいずれかを有する。図４に見ることができるように、このフレームは、整数個Ｌのタイムスロット又はサブフレームＴＳ１〜ＴＳＬに再分割される。これらのタイムスロット又はサブフレームは、ダウンリンクチャネルＤＬ又はアップリンクチャネルＵＬのいずれかに割り当てることができる。さらに、各サブフレームＴＳｊ（ｊ＝１〜Ｌ）は、ｋ個の直交変調周波数ｆ１〜ｆｋによってそれぞれ搬送されるｑｊ個のシンボルｓ１〜ｓｑｊをサポートする（ここでは、サブフレームＴＳｊについて、ｑｊ＝４である）。これらのシンボルは、ＯＦＤＭシンボルと呼ばれる。
【０００７】
サブフレームＴＳｊのＯＦＤＭシンボルｓ１〜Ｓｑｊのそれぞれは、一般に、シンボル間の干渉の抑制に努めるのに使用されるサイクリックプリフィックスを含むことに留意されたい。
【０００８】
一般的な場合に、サブフレームあたりのシンボル数は、サブフレーム毎に変化し得ると理解しなければならない。
【０００９】
図５に関して、基地局ＢＴＳによるダウンリンクチャネルＤＬを介するｑｊ＝４個のシンボルｓ１〜ｓ４の、時刻ｔｅにおける送信を考察してみよう。これらのシンボルｓ１〜ｓ４は、考慮対象のセル１５の境界（基地局ＢＴＳから距離ｄ１）にある端末ＴＥ１によって、ｔｅ＋ＲＴＤ（ｄ１）／２に等しい時刻に受信される。ここで、ＲＴＤ（ｄ１）は、基地局ＢＴＳから上記距離ｄ１のその端末ＴＥ１へのラウンドトリップ遅延である。これらのシンボルは、この端末ＴＥ１によって処理され、この端末はその後また、アップリンクチャネルＵＬを介してシンボルを送信する。端末ＴＥｉは、アップリンクチャネルＵＬを介してシンボルを送信する前に、ハードウェアオペレーション及びソフトウェアオペレーションの継続時間を考慮するために、或る期間待たなければならない。この或る期間は、受信送信切り換え時間（Receive Transmit Switch time）又は単にスイッチング時間と呼ばれ、ＲＴＳと参照される。たとえば、この遅延ＲＴＳは、端末ＴＥのハードウェア機器が受信モードと送信モードとを切り換えるのに必要な時間、及び、基地局ＢＴＳのハードウェア機器が送信モードと受信モードとを切り換えるのに必要な時間の最大値である。アップリンクチャネルＵＬを介して送信されるシンボルは、ｔｅ＋ＲＴＤ（ｄ１）＋ＲＴＳ＋ＤＤＬに等しい時刻ｔｒに基地局ＢＴＳで受信される。ＤＤＬは、ｑｊ個のシンボルの全継続時間である。このように、基地局ＢＴＳは、セル１５の境界に位置する端末ＴＥｉによって送信されたシンボルの処理を行うために、それらのシンボルの受信を待たなければならないことが分かる。この待ち時間は、ガード期間（Guard Period）ＧＰ又はアイドル期間（idle period）と呼ばれ、少なくともラウンドトリップ遅延ＲＴＤ（ｄ１）に受信送信切り換え時間ＲＴＳを加えたものに等しくなければならない。
【００１０】
１つの端末が本発明に関わる場合、その端末はＴＥｉと呼ばれ、ｉ＝１、２、３、…、であり、ｉの最大値は基地局ＢＴＳのカバーエリア内に含まれる端末の最大数である。
【００１１】
少なくとも２つの端末が本発明に関わる場合、端末ＴＥと呼ばれる。
【００１２】
ダウンリンクチャネルＤＬとアップリンクチャネルＵＬとの間のガード期間ＧＰを図４に見ることができる。
【００１３】
基地局ＢＴＳは、各端末ＴＥのタイミング遅延ＴＤ（ｄ）を求める。基地局ＢＴＳはシンボルを端末ＴＥに転送し、端末ＴＥはこれに応答してシンボルを基地局ＢＴＳに転送する。これらのシンボルはたとえば基準信号である。
【００１４】
タイミング遅延は以下の式を使用して計算される：
Ｔｄ（ｄ）＝ｔｒ−ｔｅ−ＤＤＬ−ＲＴＤ（ｄ）＝ＧＰ−ＲＴＤ（ｄ）
式中、ｄは各端末ＴＥｉと基地局ＢＴＳとの距離である。
【００１５】
各タイミング遅延から、基地局ＢＴＳは、各端末のタイミング進み（Timing Advance）ＴＡ＝ＧＰ−ＴＤ（ｄ）を求め、タイミング進みを対応する端末ＴＥｉに転送する。
【００１６】
各端末は、基地局ＢＴＳに接続される端末ＴＥのすべてから送信されるシンボルが基地局ＢＴＳで同一の時刻ｔｒに受信されるように、アップリンクチャネルＵＬを介してのシンボルの送信にタイミング進み値を適用する。
【００１７】
上記通信システムにより対処される問題は、ガード期間ＧＰ中にいかなる種類の情報も基地局において送受信されないことに起因する資源の潜在的な喪失に関する。
【００１８】
この問題を解消するために、本発明の発明者等は、欧州特許出願第０５２９１９７２号明細書において、ダウンリンクチャネル又はアップリンクチャネルでの新しい情報伝送方式を提案した。
【００１９】
この欧州特許出願第０５９２１９７２号明細書では、基地局ＢＴＳは、ガード期間中に少なくとも１つの補助ダウンリンクシンボルを、当該少なくとも補助ダウンリンクシンボルを受信できる端末ＴＥに送信し、且つ／又は、基地局ＢＴＳは、ガード期間中に少なくとも１つの補助アップリンクシンボルを、時間遅延中に当該少なくとも補助アップリンクシンボルを送信できる端末ＴＥから受信する。
【００２０】
このような技法について図６を参照してより詳細に説明する。
【００２１】
図６では、ｎｒｅｆ個のシンボルｓ１〜ｓ４が、ｔｅと参照される時刻に基地局ＢＴＳによりダウンリンクチャネルＤＬを介してサブフレームの基準部(nominal part)で転送される。
【００２２】
ダウンリンクサブフレームの基準部は、セルの境界にある端末ＴＥに（換言すれば基地局ＢＴＳのセル内にある任意の端末に）送信できるｑｊ個のシンボルの全継続時間である。
【００２３】
アップリンクサブフレームの基準部は、基地局ＢＴＳのカバーエリアの境界にある端末ＴＥにより送信できるｑｊ個のシンボルの全継続時間である。
【００２４】
サブフレームの基準部の最後のダウンリンクシンボルｓ４を送信した後、基地局ＢＴＳは、時刻ｔｒまで、ガード期間ＧＰの間、接続された全ての端末ＴＥからのアップリンクシンボルの受信を待つ必要がある。ダウンリンクチャネルでのサブフレームの基準部の継続時間を、シンボルの基準数ｎｒｅｆ、たとえば４に対応するＤｒｅｆと呼ぶ。
【００２５】
基地局ＢＴＳは、ダウンリンクサブフレームに補助ダウンリンクシンボルを含むように規定され、当該補助ダウンリンクシンボルは、各時間遅延中に補助ダウンリンクシンボルを受信して処理できる端末ＴＥにのみ送信されることを目的とする。
【００２６】
基地局ＢＴＳから距離ｄに配置された端末の時間遅延ＴＤ（ｄ）が、ダウンリンクシンボルｎｄｌ個分の継続時間に切り替え時間ＲＴＳを足した数とダウンリンクシンボルｎｄｌ＋１個分の継続時間に切り替え時間ＲＴＳを足した数との間に含まれる場合、基地局ＢＴＳは、その端末に対する情報をｎｄｌ個の補助ダウンリンクシンボルに挿入することができる。この条件は以下のように数学的に記述することができる：
ｎｄｌ・ｔｓｄｌ≦ＴＤ（ｄ）−ＲＴＳ＜（ｎｄｌ＋１）ｔｓｄｌならば最大でｎｄｌ個の補助シンボルを挿入する。
ここでｔｓｄｌは１つのダウンリンクシンボルの継続時間である。
【００２７】
端末ＴＥｉに対する情報をｎｄｌ個の補助ダウンリンクシンボルに挿入する場合、基地局ＢＴＳは、端末ＴＥｉがこの１つ又は複数のｎｄｌ個の補助シンボルをダウンリンクサブフレームの基準部に含まれる他のシンボルと共に読み取って処理できるように、この挿入をその端末ＴＥｉに対して示す（シグナリングにより）。
【００２８】
基地局ＢＴＳは、適用すべき時間遅延ＴＤ又はタイミング進みについて、接続されている各端末ＴＥｉに通知する。次に、各端末ＴＥｉは、上記式を使用することにより、時間遅延ＴＤの値又はタイミング進みの値から、読み出して処理する必要のあるシンボル数を導き出す。
【００２９】
したがって、基地局ＢＴＳから距離ｄにある端末ＴＥｉに基地局ＢＴＳが割り振ることができる補助ダウンリンクシンボルの数ｎｄｌは、以下のように求められる： 
ｎｄｌ＝integer｛（ＴＤ（ｄ）−ＲＴＳ）／ｔｓｄｌ｝
＝integer｛（ＧＰ−ＲＴＤ（ｄ）−ＲＴＳ）／ｔｓｄｌ｝
最大数Ｎｄｌｍａｘ個の補助シンボルが、基地局ＢＴＳから距離０にあると共にラウンドトリップ遅延ＲＴＤが０である端末ＴＥｉに与えられる：
Ｎｄｌｍａｘ＝integer｛（ＧＰ−ＲＴＳ）／ｔｓｄｌ｝
上記式と同様の式が補助アップリンクチャネルにも使用される。
【００３０】
例として、図６に示す場合では、数Ｎｄｌｍａｘは２であり、ここで、送信されるダウンリンクシンボルの総数は、サブフレームの基準部Ｄｒｅｆの４個のダウンリンクシンボルｓ１〜ｓ４並びにガード期間ＧＰと通常みなされる期間中に送信される２個の補助ダウンリンクシンボルｓ５及びｓ６に等しい。セル１５の境界にある端末ＴＥ１の時間遅延ＴＤ（ｄ１）の値は、時間遅延の定義により切り替え時間ＲＴＳに等しい。サブフレームの基準部Ｄｒｅｆの４個のダウンリンクシンボルｓ１〜ｓ４のみが、基地局ＢＴＳにより上記端末ＴＥ１に割り振られる。端末ＴＥ１は、これらの４個のダウンリンクシンボルｓ１〜ｓ４のみを読み出して処理するだけであり、２個の補助シンボルｓ５及びｓ６は、存在する場合でも無視される（すなわち処理されない）。
【００３１】
端末ＴＥ２の時間遅延ＴＤ（ｄ２）の値は、２個のダウンリンクシンボルの継続時間に切り替え時間を足した時間よりも小さいが、１個のダウンリンクシンボルの継続時間に切り替え時間ＲＴＳを足した時間に等しい。したがって、基地局ＢＴＳは、最大で１個の補助ダウンリンクシンボル（ここでは、ダウンリンクサブフレームの基準部Ｄｒｅｆの最後のダウンリンクシンボルｓ４に後続するダウンリンクシンボルｓ５）内で情報をその端末ＴＥ２に送信することができ、この補助ダウンリンクシンボルは当該端末ＴＥ２により読み取られて処理される。シンボルｓ６は、存在する場合でも上記端末ＴＥ２に無視される（すなわち処理されない）。この場合、その端末ＴＥ２についての情報を含むことができるダウンリンクシンボルの総数は５である（サブフレームの基準部Ｄｒｅｆの４個ｓ１〜ｓ４と１個の補助シンボルｓ５とを足した数）。
【００３２】
図６の例によれば、端末ＴＥ３の時間遅延ＴＤ（ｄ３）の値は、２個のダウンリンクシンボルの継続時間に切り替え時間ＲＴＳを足した時間に等しい。したがって、基地局ＢＴＳは、最大で２個の補助ダウンリンクシンボルｓ５及びｓ６内で情報をその端末ＴＥ３に送信することができ、これらの補助ダウンリンクシンボルは当該端末ＴＥ３により読み取られて処理される。その端末ＴＥ３についての情報を含むことができるダウンリンクシンボルの総数は６である（サブフレームの基準部Ｄｒｅｆの４個ｓ１〜ｓ４と２個の補助ダウンリンクシンボルｓ５及びｓ６とを足した数）。
【００３３】
基地局ＢＴＳは、端末ＴＥ２の距離ｄ２と端末ＴＥ３の距離ｄ３との間に含まれる基地局から距離ｄにあるいずれの端末ＴＥｉにも、最大で５個のダウンリンクシンボルで情報を送信することができ、端末ＴＥｉはこれを読み出して処理することができる。同じように、基地局ＢＴＳは、端末ＴＥ３の距離ｄ３よりも短い距離ｄにあるいずれの端末にも、最大で６個のダウンリンクシンボル内で情報を送信することができ、端末はこれを読み出して処理することができる。常に同じように、基地局ＢＴＳは、端末ＴＥ２の距離ｄ２よりも長い距離ｄにあるいずれの端末にも、最大で４個のシンボル内で情報を送信することができ、端末はこれを読み出して処理することができる。
【００３４】
ダウンリンクシンボルｓ５は、基地局ＢＴＳからｄ２未満の距離にある端末ＴＥに対する情報のみを含むのに対して、ダウンリンクシンボルｓ６は、基地局ＢＴＳからｄ３未満の距離にある端末ＴＥに対する情報のみを含むことに留意されたい。
【００３５】
端末ＴＥｉは、基地局ＢＴＳに接続したとき、適用する必要がある時間遅延ＴＤについての情報をまだ受信していない。それが行われない限り、この端末ＴＥｉに割り振られるシンボル数は基準数ｎｒｅｆに等しい。すなわち、この端末ＴＥｉに割り振られるシンボル数はサブフレームの基準部Ｄｒｅｆに含まれるシンボル数に等しい。さらに、端末ＴＥｉは、基準数ｎｒｅｆに等しい数のシンボルを受信した後、予め規定される時間遅延で、たとえばガード期間ＧＰ又はＲＴＳに等しい時間遅延でアップリンクにて送信することができる。
【００３６】
基地局ＢＴＳのカバーエリア１５が大きい場合、すなわち、カバーエリア１５の境界にあるいくつかの端末ＴＥのラウンドトリップ遅延ＲＴＤが大きい場合、これらの端末ＴＥにより受信又は転送されるシンボルは少ない。この場合、基地局ＢＴＳと端末ＴＥとの間に存在するチャネル状況を解析するために、アップリンクチャネル又はダウンリンクチャネルを通じてのデータ転送の量を顕著に低減せずに多数のパイロットシーケンス要素をサブフレームの基準部に含まれるシンボルに含めることは難しい。
【００３７】
【特許文献１】欧州特許出願公開第１２３３５６６号明細書（カラム５、５２行目〜５５行目、段落［００４７］、［００４８］、図１、図５、図７）
【特許文献２】国際公開第９９／１１００４号パンフレット（１２頁、１０行目〜２８行目、図２Ｃ）
【特許文献３】米国特許第６８１００２３号明細書（要約書）
【００３８】
本発明は、基地局と端末との間で転送されるシンボル内のパイロットシーケンス要素の量を増大させることによる上記問題の解消を目的とする。
【００３９】
そのために、本発明は、双方向通信チャネルを介して端末と通信することを目的とする少なくとも１つの基地局を含む無線通信システムでの伝送方法であって、各チャネルは、ダウンリンクサブフレーム及びアップリンクサブフレームに分割されるフレームをサポートし、各ダウンリンクサブフレームは、少なくとも２つの端末に送信されることを目的とする複数のシンボルを含み、接続される各端末の時間遅延が求められ、前記時間遅延は、任意の端末が、前記アップリンクサブフレームが後続する前記ダウンリンクサブフレームに含まれるすべての前記シンボルを受信した後、前記基地局による前記ダウンリンクサブフレームの送信終了から距離に関わらず一定である所定のガード期間だけ隔てられた時刻に、送信可能な他のシンボルが前記基地局により受信されるように、前記アップリンクサブフレームを介して前記時間遅延で前記他のシンボルを送信することができるようなものであり、前記基地局と、前記時間遅延中に少なくとも１つの補助シンボルを受信又は送信できる少なくとも１つの端末との間で、前記少なくとも１つの補助シンボルを転送することができる方法において、前記方法は、転送すべきシンボルを転送するための前記無線通信システムの多重化資源を得るステップと、得られた少なくとも1つの多重化資源に１組のパイロットシーケンス要素を割り当てるステップと、前記少なくとも1つの補助シンボルを転送するステップであって、前記補助シンボルは少なくとも前記１組のパイロットシーケンス要素により形成される、転送するステップとを含むことを特徴とする、方法に関する。
【００４０】
本発明はまた、双方向通信チャネルを介して端末と通信することを目的とする少なくとも１つの基地局を有する無線通信システムでの通信装置であって、各チャネルは、ダウンリンクサブフレーム及びアップリンクサブフレームに分割されるフレームをサポートし、各ダウンリンクサブフレームは、少なくとも２つの端末に送信されることを目的とする複数のシンボルを含み、接続される各端末の時間遅延が求められ、前記時間遅延は、任意の端末が、前記アップリンクサブフレームが後続する前記ダウンリンクサブフレームに含まれるすべての前記シンボルを受信した後、前記基地局による前記ダウンリンクサブフレームの送信終了から距離に関わらず一定である所定のガード期間だけ隔てられた時刻に、送信可能な他のシンボルが前記基地局により受信されるように、前記アップリンクサブフレームを介して前記時間遅延で前記他のシンボルを送信することができるようなものであり、前記基地局と、前記時間遅延中に少なくとも１つの補助シンボルを受信又は送信できる少なくとも１つの端末との間で前記少なくとも１つの補助シンボルを転送することができる通信装置において、前記通信装置は、転送すべきシンボルを転送するための前記無線通信システムの多重化資源を得る手段と、得られた少なくとも1つの多重化資源に１組のパイロットシーケンス要素を割り当てる手段と、前記少なくとも1つの補助シンボルを転送する手段であって、前記補助シンボルは少なくとも前記１組のパイロットシーケンス要素により形成される、転送する手段とを備えることを特徴とする、通信装置に関する。
【００４１】
したがって、基地局と端末との間で転送されるパイロットシーケンス要素の量が増大する。
【００４２】
特定の特徴によれば、無線通信ネットワークの多重化資源は周波数チャンク、及び／又は符号、及び／又は基地局のカバーエリア内の複数のエリアである。
【００４３】
特定の特徴によれば、方法は基地局により実行されるか、又は通信装置は基地局である。
【００４４】
したがって、基地局近傍にある端末は、重要な数のパイロットシーケンス要素を獲得し、ダウンリンクチャネルのチャネル状況を正確に求めることができる。
【００４５】
特定の特徴によれば、多重化資源は、基地局と基地局に接続される各端末との間に存在するチャネルの状況を解析することにより得られ、基地局は、少なくとも１組のパイロットシーケンス要素を復調する(de multiplexing)ために、無線通信システムの多重化資源を少なくとも２つの端末に割り振る。
【００４６】
したがって、基地局近傍にある端末は、重要な数のパイロットシーケンス要素を獲得し、ダウンリンクチャネルのチャネル状況を正確に求めることができるため、多重化資源が正確な情報に基づいて割り振られる。
【００４７】
特定の特徴によれば、１組のパイロットシーケンス要素が得られた各多重化資源に割り当てられ、各補助シンボルが複数組のパイロットシーケンス要素により形成される。
【００４８】
したがって、多量のパイロットシーケンス要素が転送され、チャネル状況の測定が改善される。これは、高速で移動中の端末の場合に関心が高いものである。
【００４９】
特定の特徴によれば、１組のパイロットシーケンス要素が、１つの端末に割り振られる複数の多重化資源の中の１つの多重化資源に割り当てられる。
【００５０】
したがって、パイロットシーケンス要素の転送に消費されるエネルギーが抑制される。
【００５１】
特定の特徴によれば、少なくとも１組のパイロットシーケンス要素が、少なくとも１つの補助シンボルを受信できる端末のみに対して得られた多重化資源の中の少なくとも1つの多重化資源に割り当てられる。
【００５２】
したがって、パイロットシーケンス要素の転送に消費されるエネルギーが低減する。
【００５３】
特定の特徴によれば、方法は端末により実行されるか、又は通信装置は端末である。
【００５４】
したがって基地局は、基地局近傍にある端末に対して、重要な数のパイロットシーケンス要素を獲得し、アップリンクチャネルのチャネル状況を正確に求めることができる。
【００５５】
特定の特徴によれば、多重化資源は、基地局からメッセージを受信することにより得られる。
【００５６】
特定の特徴によれば、１組のパイロットシーケンス要素が、得られた多重化資源のそれぞれに割り当てられる。
【００５７】
したがって、多数のパイロットシーケンス要素が転送され、チャネル状況の測定が改善される。これは、高速で移動中の端末の場合に関心が高いものである。
【００５８】
特定の特徴によれば、１組のパイロットシーケンス要素が、複数の得られた多重化資源のうちの１つの多重化資源に割り当てられる。
【００５９】
したがって、パイロットシーケンス要素の転送に消費されるエネルギーが抑制される。
【００６０】
特定の特徴によれば、少なくとも１組のパイロットシーケンス要素が、複数の得られた多重化資源のうちの少なくとも1つの多重化資源に割り当てられ、少なくとも１組のパイロットシーケンス要素が、得られた多重化資源とは異なる少なくとも１つの多重化資源に割り当てられる。
【００６１】
したがって、他のいくつかの多重化資源でいくつかのチャネル推定を実行することが可能である。
【００６２】
さらに別の態様によれば、本発明は、プログラマブル装置に直接ロード可能なコンピュータプログラムであって、プログラマブル装置で実行されると、本発明による方法のステップを実施する命令又はコード部分を含むコンピュータプログラムに関する。
【００６３】
コンピュータプログラムに関する特徴及び利点は、本発明による方法及び装置に関して上述した特徴及び利点と同じであるため、ここで繰り返さない。
【００６４】
本発明の特徴は、添付図面を参照して行われる実施形態例の以下の説明を読むことからより明確になろう。
【００６５】
図１は、本発明が実施される無線通信システムの構造を表す図である。
【００６６】
図１の通信システムでは、少なくとも１つ、好ましくは複数の端末ＴＥ１、ＴＥ２、及びＴＥ３が、基地局ＢＴＳのカバーエリア１５内に含まれる。基地局ＢＴＳは、少なくとも１つの端末ＴＥｉ、ここでは無線通信チャネルＣＨ１〜ＣＨ３のそれぞれを介して３つの端末ＴＥ１、ＴＥ２、及びＴＥ３と通信することを目的とする。
【００６７】
本発明について、無線セルラネットワーク又はローカルエリアネットワークのような無線ネットワークにおいて説明するが、本発明は電力線網のような有線ネットワークに適用することも可能である。簡易化のために基地局ＢＴＳの１つのカバーエリアのみを図１に示すが、実際には、特に無線ネットワークが無線セルラネットワークの場合、無線セルラ通信システムはより多数の基地局及びセルで構成される。
【００６８】
図１には、簡易化のために３つの端末ＴＥのみを示すが、実際には、より多数の端末が基地局ＢＴＳのカバーエリア１５内にある。
【００６９】
基地局ＢＴＳは、ノード、ノードＢ、拡張ノードＢ、又はアクセスポイントとも呼ばれる。
【００７０】
端末ＴＥ１〜ＴＥ３は、携帯電話、携帯情報端末、又はパーソナルコンピュータのような端末である。
【００７１】
基地局ＢＴＳは補助ダウンリンクシンボルを含むように規定され、当該補助ダウンリンクシンボルは、各時間遅延中に補助ダウンリンクシンボルの受信及び送信及び／又は処理を行える端末ＴＥに対してのみ送信されることを目的とする。基地局ＢＴＳは補助アップリンクシンボルを含むようにも規定され、当該補助アップリンクシンボルは、各時間遅延中に補助アップリンクシンボルを処理する端末ＴＥのみにより送信されることを目的とする。
【００７２】
基地局ＢＴＳは、端末ＴＥｉに対する情報をｎｄｌ個の補助シンボルに挿入することができる。この条件は以下のように数学的に記述することができる：
ｎｄｌ・ｔｓｄｌ≦ＴＤ（ｄ）−ＲＴＳ＜（ｎｄｌ＋１）ｔｓｄｌならば最大でｎｄｌ個の補助シンボルを挿入する。
【００７３】
ｔｓｄｌは１つのダウンリンクシンボルの継続時間である。
【００７４】
上記式と同様の式が補助アップリンクチャネルにも使用される。
【００７５】
ここで、ｎｄｌが基地局ＢＴＳが端末ＴＥｉに割り振ることができる補助アップリンクシンボル数も表すことに留意する必要がある。
【００７６】
本発明によれば、補助シンボルはパイロットシーケンス要素を含む。
【００７７】
図１及び図６の例によれば、数Ｎｄｌｍａｘは２であるが、例として、基地局ＢＴＳのカバーエリア１５により、且つ／又はＯＦＤＭシンボルの継続時間により、より多数の補助シンボルを決定することもできる。
【００７８】
例として、無線通信システムは、時分割複信方式（ＴＤＤ）又は周波数分割複信方式（ＦＤＤ）、より厳密には半二重ＦＤＤ方式を使用する無線通信システムである。
【００７９】
ＴＤＤ方式では、アップリンクチャネル及びダウンリンクチャネルで転送される信号は、同じ周波数帯域で、異なるサブフレーム（タイムスロットとも呼ばれる）で二重化される。
【００８０】
半二重ＦＤＤ方式では、アップリンクチャネル及びダウンリンクチャネルで転送される信号は、異なる周波数帯域で、異なるサブフレーム（タイムスロットとも呼ばれる）で二重化される。
【００８１】
基地局ＢＴＳがシンボルを端末ＴＥｉに転送する場合（ｉ＝１〜３）、データ、信号、又はメッセージはダウンリンクチャネルのダウンリンクサブフレームを通じて転送される。
【００８２】
端末ＴＥｉがシンボルを基地局ＢＴＳに転送する場合（ｉ＝１〜３）、信号又はデータはアップリンクチャネルのアップリンクサブフレームを通じて転送される。
【００８３】
本発明の第１の実現形態では、複数の端末ＴＥの情報を多重化するために、周波数分割多元アクセス技法が無線通信システムにおいて使用される。
【００８４】
本発明の第２の実現形態では、複数の端末ＴＥの情報を多重化するために、符合分割多元アクセス技法が無線通信システムにおいて使用される。
【００８５】
本発明の第３の実現形態では、複数の端末ＴＥの情報を多重化するために、空間分割多元アクセス技法が無線通信システムにおいて使用される。図１においてビーム１、ビーム２、ビーム３、及びビーム４と記されているビームが、基地局ＢＴＳのカバーエリア１５の空間分割の一部を表す。
【００８６】
第１、及び／又は第２、及び／又は第３の実現形態で使用される技法は組み合わせることも可能なことに留意する必要がある。
【００８７】
好ましくは、端末ＴＥｉがシンボルを転送する場合、端末ＴＥｉは割り振られた多重化資源にデータ及び／又は少なくとも１組のパイロットシーケンス要素を多重化し、割り振られていない多重化資源にはヌル値を設定する。チャネル推定のいくつかの目的のために、端末ＴＥｉは、アップリンクサブフレームの基準部に含まれるシンボルの多重化のためにその端末に割り振られたものではない多重化資源に、少なくとも１組のパイロットシーケンス要素を多重化することができる。
【００８８】
基地局ＢＴＳはシンボルを受信する。受信された各シンボルは、端末ＴＥの少なくとも一部により転送されたシンボルにより形成される。
【００８９】
好ましくは、基地局ＢＴＳがシンボルを転送する場合、基地局ＢＴＳは割り振られた多重化資源にデータ及び／又は少なくとも１組のパイロットシーケンス要素を多重化し、割り振られていない多重化資源にはヌル値を設定する。チャネル推定のいくつかの目的のために、基地局ＢＴＳは、ダウンリンクサブフレームの基準部に含まれるシンボルの多重化のために割り振られたものではない多重化資源に、少なくとも１組のパイロットシーケンス要素を多重化することができる。
【００９０】
図２は、本発明による基地局の構造を表す図である。
【００９１】
基地局ＢＴＳは、たとえば、バス２０１により共に接続される構成要素と図７において開示するようなアルゴリズムに関連するプログラムにより制御されるプロセッサ２００とに基づく構造を有する。
【００９２】
基地局ＢＴＳは、一変形において、以下に開示するようなプロセッサ２００により実行される動作と同じ動作を実行する１つ又はいくつかの専用集積回路の形で実施されることに留意する必要がある。
【００９３】
バス２０１は、プロセッサ２００を読み取り専用メモリＲＯＭ２０２、ランダムアクセスメモリＲＡＭ２０３、及びチャネルインタフェース２０５にリンクする。
【００９４】
読み取り専用メモリＲＯＭ２０２は図７に開示されているようなアルゴリズムに関連するプログラムの命令を含み、これは、基地局ＢＴＳに電源が投入されるとランダムアクセスメモリＲＡＭ２０３に転送される。
【００９５】
ＲＡＭメモリ２０３は、変数の受け取りを目的とするレジスタと、図７に開示されているようなアルゴリズムに関連するプログラムの命令とを含む。
【００９６】
プロセッサ２００は、端末ＴＥに割り振られる多重化資源を決定することができる。
【００９７】
端末ＴＥの少なくとも一部に割り振られる多重化資源は、ダウンリンクサブフレームの基準部のダウンリンクシンボルの復調のために対応する端末ＴＥｉが使用する多重化資源、及び／又は、データを多重化してアップリンクサブフレームの基準部のアップリンクシンボルを形成するために対応する端末ＴＥｉが使用する多重化資源である。
【００９８】
少なくとも１つの端末ＴＥｉに割り振られる多重化資源は、少なくとも１組のパイロットシーケンス要素を多重化して補助ダウンリンクシンボルを形成するために基地局ＢＴＳが使用する多重化資源であり、且つ／又は補助アップリンクシンボルに含まれる少なくとも１組のパイロットシーケンス要素を復調するために基地局ＢＴＳが使用する多重化資源である。
【００９９】
パイロットシーケンス要素は、例として、１、−１、又は複素値に等しい。
【０１００】
１組のパイロットシーケンス要素は、周波数チャンクの搬送周波数の少なくとも一部又は多重化資源の符号に多重化される。
【０１０１】
周波数チャンクは少なくとも１つの搬送周波数又は好ましくは連続した搬送周波数の群を含む。
【０１０２】
チャネルインタフェース２０５は、データを多重化資源に多重化して、端末ＴＥの少なくとも一部に転送されるダウンリンクサブフレームの各ダウンリンクシンボルを形成する多重化手段２０６を備える。
【０１０３】
チャネルインタフェース２０５は、各端末ＴＥｉによる少なくとも１つの基準信号の送信を要求する手段と、各端末ＴＥｉから少なくとも１つの基準信号を受信する手段とを備える。
【０１０４】
チャネルインタフェース２０５は、多重化資源で少なくとも１つの端末ＴＥｉに転送される少なくとも１つのパイロットシーケンス要素を含む少なくとも１つの補助ダウンリンクシンボルを転送する手段を備える。
【０１０５】
チャネルインタフェース２０５は、端末ＴＥｉに割り振られた多重化資源から、少なくとも１つの端末ＴＥｉにより転送されたアップリンクサブフレームの基準部に含まれるシンボルを復調する手段を備える。
【０１０６】
チャネルインタフェース２０５は、少なくとも１つの端末ＴＥｉにより転送される少なくとも１つのアップリンク補助シンボルに含まれる少なくとも１組のパイロットシーケンス要素を復調する手段を備える。
【０１０７】
好ましくは、少なくとも１つの補助アップリンクシンボルに含まれる少なくとも１組のパイロットシーケンス要素が、アップリンクサブフレームの基準部に含まれるシンボルに関して端末ＴＥｉに割り振られた多重化資源で復調される。
【０１０８】
チャネルインタフェース２０５は、シンボルを送信した端末ＴＥｉに割り振られていない多重化資源から少なくとも１つの補助アップリンクシンボルに含まれる少なくとも１組のパイロットシーケンス要素を復調して、他の多重化資源のチャネル状況についての情報を得る手段を備える。
【０１０９】
チャネルインタフェース２０５は、データを結合する手段２０７を備える。
【０１１０】
本発明の第１の実現形態によれば、加重データを結合する手段２０７は逆離散フーリエ変換モジュールである。
【０１１１】
本発明の第２の実現形態によれば、加重データを結合する手段２０７は加算回路である。
【０１１２】
本発明の第３の実現形態によれば、加重データを結合する手段２０７はビームフォーマであり、アンテナＢＳＡｎｔはアレイアンテナである。
【０１１３】
本発明の第３の実現形態によれば、チャネルインタフェース２０５は、基地局ＢＴＳにより転送された信号を、図１にビーム１〜ビーム４と記されているエリアのような異なるエリアに向ける手段を備える。より厳密には、基地局ＢＴＳがダウンリンクチャネルを通じて信号を所与のエリアに送信する場合、信号はＭ回複製され（Ｍ>１）、複製された信号は、Ｍ個のアンテナを使用してビーム形成を実行するために重み付けされる。すなわち、Ｎ個のビームを形成するように送信信号の空間方向を制御する。
【０１１４】
図３は、本発明による端末の構造を表す図である。
【０１１５】
各端末ＴＥｉ、例として端末ＴＥ１は、たとえば、バス３０１により共に接続される構成要素と図８において開示するようなアルゴリズムに関連するプログラムにより制御されるプロセッサ３００とに基づく構造を有する。
【０１１６】
ここで、端末ＴＥ１は、一変形において、以下に開示するようなプロセッサ３００により実行される動作と同じ動作を実行する１つ又はいくつかの専用集積回路の形で実施されることに留意する必要がある。
【０１１７】
バス３０１は、プロセッサ３００を読み取り専用メモリＲＯＭ３０２、ランダムアクセスメモリＲＡＭ３０３、及びチャネルインタフェース３０５にリンクする。
【０１１８】
読み取り専用メモリＲＯＭ３０２は図８に開示されているようなアルゴリズムに関連するプログラムの命令を含み、これは、端末ＴＥ１に電源が投入されるとランダムアクセスメモリＲＡＭ３０３に転送される。
【０１１９】
ＲＡＭメモリ３０３は、変数の受け取りを目的とするレジスタと、図８に開示されているようなアルゴリズムに関連するプログラムの命令とを含む。
【０１２０】
チャネルインタフェース３０５は、基地局ＢＴＳから少なくとも１つの基準信号要求を受信する手段と、少なくとも１つの基準信号を基地局ＢＴＳに転送する手段とを備える。
【０１２１】
チャネルインタフェース３０５は、基地局ＢＴＳにより割り振られる対応する多重化資源（いくつかある場合）で、端末ＴＥ１により受信されるダウンリンクサブフレームの各ダウンリンクシンボルを復調する手段を備える。
【０１２２】
チャネルインタフェース３０５は、少なくとも１組のパイロットシーケンス要素を多重化資源に多重化して、端末ＴＥ１に割り振られた多重化資源で基地局ＢＴＳに転送される少なくとも１つのアップリンク補助シンボルを形成する多重化手段３０６を備える。
【０１２３】
チャネルインタフェース３０５は、少なくとも１つの補助アップリンクシンボルに含まれる少なくとも１組のパイロットシーケンス要素を、端末ＴＥ１に割り振られた少なくとも多重化資源で転送する手段を備える。
【０１２４】
好ましくは、少なくとも１つの補助アップリンクシンボルに含まれる少なくとも１組のパイロットシーケンス要素は、アップリンクサブフレームの基準部に含まれるシンボルに対して端末ＴＥ１に割り振られた多重化資源で転送される。
【０１２５】
時により、他の多重化資源のチャネル状況についての情報を得るために、少なくとも１つの補助アップリンクシンボルに含まれる少なくとも１組のパイロットシーケンス要素が、アップリンクサブフレームの基準部に含まれるシンボルのために端末ＴＥ１に割り振られたものではない多重化資源で転送される。
【０１２６】
チャネルインタフェース３０５は、端末ＴＥ１に割り振られた多重化資源から、基地局ＢＴＳにより転送される少なくとも１つの補助ダウンリンクシンボルに含まれる少なくとも１組のパイロットシーケンス要素を復調する手段を備える。
【０１２７】
ここで、他の多重化資源のチャネル状況についての情報を得るために、チャネルインタフェース３０５は、端末ＴＥ１に割り振られた多重化資源とは別の多重化資源から、基地局ＢＴＳにより転送される少なくとも１つの補助ダウンリンクシンボルに含まれる少なくとも１組のパイロットシーケンス要素を復調することに留意されたい。
【０１２８】
図７は、本発明による基地局により実行されるアルゴリズムである。
【０１２９】
本アルゴリズムは、無線通信システムの少なくとも１つの基地局ＢＴＳにより実行される。より厳密には、本アルゴリズムは、基地局ＢＴＳのプロセッサ２００により実行される。
【０１３０】
ステップＳ７００において、プロセッサ２００は、チャネルインタフェース２０５を通じて、各端末ＴＥｉ（ｉ＝１〜３）に少なくとも１つの基準信号を転送するように命令する。
【０１３１】
次のステップＳ７０１において、プロセッサ２００は、チャネルインタフェース２０５を通じて、各端末ＴＥｉにより転送された少なくとも１つの基準信号の受信を検出する。
【０１３２】
次のステップＳ７０２において、プロセッサ２００は各端末ＴＥｉの時間遅延ＴＤ（ｄ）を計算する。ここで、ｄは基地局ＢＴＳと端末ＴＥｉとの間の距離である。
【０１３３】
各タイミング遅延ＴＤ（ｄ）は以下の式を使用して計算される：
Ｔｄ（ｄ）＝ｔｒ−ｔｅ−ＤＤＬ−ＲＴＤ（ｄ）＝ＧＰ−ＲＴＤ（ｄ）
式中、ＤＤＬは、転送するダウンリンクサブフレームの基準部の全継続時間である。
【０１３４】
同ステップで、プロセッサ２００は、以下の式を使用して各端末ＴＥｉのタイミング進みを計算する：
ＴＡ（ｄ）＝ＧＰ−ＴＤ（ｄ）
【０１３５】
次のステップＳ７０３において、プロセッサ２００は、ステップＳ７０２において計算されたデータのうちの少なくとも１つを対応する各端末ＴＥｉに転送するように命令する。
【０１３６】
ステップＳ７０２において計算されたデータは、チャネルインタフェース２０５により次のダウンリンクサブフレームで転送される。この計算されたデータは他のデータと多重化されて、ダウンリンクサブフレームの基準部のシンボルの形で転送される。
【０１３７】
次のステップＳ７０４では、プロセッサ２００は、無線通信システムの多重化資源を端末ＴＥの少なくとも一部に割り振る。
【０１３８】
ここで、数百の端末ＴＥが基地局ＢＴＳと通信する場合、プロセッサ２００は、１つのサブフレーム中では、多重化資源を端末ＴＥの一部にしか割り振ることができないということに留意する必要がある。この場合、プロセッサ２００は、各サブフレーム毎に、多重化資源が割り振られる端末ＴＥを変更することができる。
【０１３９】
本発明の第１及び第２の実現形態によれば、プロセッサ２００は、好ましくは、無線通信システムの多重化資源を、図９に示すチャネル品質指標に従って端末ＴＥに割り振る。
【０１４０】
多重化資源は、本発明の第１の実現形態によれば、周波数チャンクである。
【０１４１】
多重化資源は、本発明の第２の実現形態によれば、符号(code)である。符号はビットシーケンスである。好ましくは、割り振られる符号は互いに直交する。
【０１４２】
割り振られる多重化資源の例について図１０を参照して説明する。
【０１４３】
多重化資源は、本発明の第３の実現形態によれば、基地局ＢＴＳのカバーエリア１５内の複数のエリアである。
【０１４４】
割り振られる多重化資源の一例について図１２を参照して説明する。
【０１４５】
本発明の第３の実現形態によれば、プロセッサ２００は、好ましくは、無線通信システムの多重化資源を、図１１に示すチャネル品質指標に従って端末ＴＥに割り振る。
【０１４６】
各端末ＴＥｉに割り振られる多重化資源は、ダウンリンクサブフレームの基準部の、図６のｓ１〜ｓ４のようなダウンリンクシンボルを多重化するために基地局ＢＴＳが使用する多重化資源であり、且つ／又は、アップリンクサブフレームの基準部のアップリンクシンボルを復調するために基地局ＢＴＳが使用する多重化資源である。
【０１４７】
各端末ＴＥｉに割り振られる多重化資源は、サブフレームの基準部Ｄｒｅｆの、図６のｓ１〜ｓ４のようなダウンリンクシンボルを復調するために対応する端末ＴＥｉが使用する多重化資源であり、且つ／又は、アップリンクサブフレームの基準部のアップリンクシンボルを多重化するために対応する端末ＴＥｉが使用する多重化資源である。
【０１４８】
次のステップＳ７０５において、プロセッサ２００は、ダウンリンクサブフレームの基準部で転送されるダウンリンクシンボルの転送を命令する。
【０１４９】
次のステップＳ７０６において、プロセッサ２００は、少なくとも１つの補助シンボルがダウンリンクチャネルに割り振られている場合、少なくとも１つの補助ダウンリンクシンボルの転送を命令する。補助ダウンリンクシンボルは、図１０ａ〜図１０ｃを参照して示すように、無線通信ネットワークの少なくとも１つの多重化資源に多重化される少なくとも１組のパイロットシーケンス要素により形成される。
【０１５０】
次のステップＳ７０７において、プロセッサ２００は、少なくとも１つの補助シンボルがアップリンクチャネルに割り当てられている場合、少なくとも１つの補助アップリンクシンボルを受信する。補助シンボルは、図１０ｄを参照して示すように、補助アップリンクシンボルを転送した端末ＴＥｉに割り振られた少なくとも１つの多重化資源に多重化される少なくとも１組のパイロットシーケンス要素により形成される。
【０１５１】
次のステップＳ７０８において、プロセッサ２００は、アップリンクチャネルで受信したシンボルから、図９又は図１１に開示するように、チャネル状況、例としてチャネル品質指標を求める。
【０１５２】
次のステップＳ７０９において、プロセッサ２００は、各端末ＴＥｉ毎に、対応するタイミング遅延ＴＤ（ｄ）及び／又はタイミング進みＴＡ（ｄ）を再計算するときであるか否かを調べる。非限定的な例として、タイミング遅延ＴＤ（ｄ）及び／又はタイミング進みＴＡ（ｄ）は、要求に応じて又は毎秒のように周期的に計算される。
【０１５３】
タイミング遅延及び／又はタイミング進みを再計算するときである場合、プロセッサ２００はステップＳ７１０に移り、本アルゴリズムを再び実行する。
【０１５４】
タイミング遅延及び／又はタイミング進みを再計算するときではない場合、プロセッサ２００はステップＳ７０４に戻り、タイミング遅延及び／又はタイミング進みを再計算するときがくるまで、ステップＳ７０４〜Ｓ７０９を実行する。
【０１５５】
ここで、ステップＳ７０４〜Ｓ７０９で構成されるループが実行される都度、１つのサブフレーム中で多重化資源が割り振られた端末ＴＥを変更可能なことに留意する必要がある。
【０１５６】
ステップＳ７１０において、プロセッサ２００は基準信号を端末ＴＥにより転送する必要があるか否かを調べる。
【０１５７】
端末ＴＥがシンボルをアップリンクサブフレームで転送する場合、プロセッサ２００は、これらのシンボルからタイミング進みの時間遅延を求めることができる。端末ＴＥがシンボルをアップリンクサブフレームで転送しない場合、プロセッサ２００は、時間遅延又はタイミング進みを求めるために基準信号を受信する必要がある。
【０１５８】
基準信号を端末ＴＥにより転送する必要がある場合、プロセッサ２００はステップＳ７００に戻り、必要がない場合、ステップＳ７０２に戻る。
【０１５９】
図８は、本発明による端末により実行されるアルゴリズムである。
【０１６０】
本アルゴリズムは、無線通信システムの各端末ＴＥｉにより実行される（ｉ＝１〜３）。より厳密には、本アルゴリズムは各端末ＴＥｉのプロセッサ３００により実行される。
【０１６１】
ステップＳ８００において、プロセッサ３００は、チャネルインタフェース３０５を通じて、基地局ＢＴＳにより転送される少なくとも１つの基準信号の送信要求を受信したことを検出する。
【０１６２】
次のステップＳ８０１において、プロセッサ３００は、チャネルインタフェース３０５を通じて、基地局ＢＴＳへの少なくとも１つの基準信号の転送を命令する。
【０１６３】
次のステップＳ８０２において、プロセッサ３００は、チャネルインタフェース３０５を通じて、ダウンリンクシンボルの受信を検出する。
【０１６４】
次のステップＳ８０３において、プロセッサ３００は、受信シンボルに含まれる制御情報の少なくとも１つの所定のフィールドを読み取る。この少なくとも１つの所定のフィールドに含まれる情報は、端末ＴＥｉに割り振られた多重化資源を示す情報である。
【０１６５】
ここで、受信シンボルは端末ＴＥｉのタイミング遅延ＴＤ（ｄ）及び／又はタイミング進みも含み得ることに留意する必要がある。
【０１６６】
次のステップＳ８０４において、プロセッサ３００は、受信した制御情報の少なくとも１つのフィールドに含まれる、割り振られた多重化資源を示す情報を検索する。
【０１６７】
より厳密には、プロセッサ３００は、端末に割り振ることができる多重化資源を示す情報を含む制御情報の少なくとも１つのフィールドを読み取る。
【０１６８】
少なくとも１つの補助ダウンリンクシンボルを復調するために、且つ／又は、少なくとも１つの補助アップリンクシンボルを多重化するために、端末ＴＥｉに割り振られる多重化資源は、ダウンリンクサブフレームの基準部に含まれるダウンリンクシンボルを復調するために割り振られる多重化資源と、及び／又は、アップリンクサブフレームの基準部に含まれるアップリンクシンボルを多重化するために割り振られる多重化資源と同じである。
【０１６９】
同じステップにおいて、プロセッサ３００は、割り振られた多重化資源を示す情報をチャネルインタフェース３０５に転送するように命令する。
【０１７０】
次のステップＳ８０６において、プロセッサ３００は、少なくとも１つの補助シンボルがダウンリンクチャネルに割り振られている場合、少なくとも１つの補助ダウンリンクシンボルの受信を検出する。補助ダウンリンクシンボルは、図１０ａ〜図１０ｃを参照して示すように、無線通信ネットワークの少なくとも１つの多重化資源に割り当てられる少なくとも１組のパイロットシーケンス要素により形成される。
【０１７１】
次のステップＳ８０７において、プロセッサ３００は、ダウンリンクチャネルで受信したシンボルから、図９又は図１１に開示するように、チャネル状況、例としてチャネル品質指標を求める。
【０１７２】
ステップＳ８０８において、プロセッサ３００は、必要な場合、アップリンクチャネルを通じてシンボルを転送するように命令する。
【０１７３】
転送されるシンボルは、アップリンクサブフレームの基準部に含まれるシンボルである。
【０１７４】
次のステップＳ８０９において、プロセッサ２００は、少なくとも１つの補助シンボルがアップリンクチャネルに割り振られている場合、少なくとも１つの補助アップリンクシンボルの転送を命令する。補助アップリンクシンボルは、図１０ｄを参照して示すように、アップリンクサブフレームの基準部に含まれるシンボルを転送するために端末ＴＥｉに割り振られた少なくとも１つの多重化資源に割り当てられている少なくとも１組のパイロットシーケンス要素により形成される。
【０１７５】
チャネルインタフェース３０５は、アップリンクサブフレームの基準部に含まれるシンボルに対して基地局により割り振られた多重化資源と同じ多重化資源に、端末ＴＥｉにより転送される少なくとも１つの補助アップリンクシンボルを多重化する。
【０１７６】
次のステップＳ８１０において、プロセッサ３００は、基地局ＢＴＳが少なくとも１つの基準信号を受信する必要があるか否かを調べる。
【０１７７】
少なくとも１つの基準信号を受信する必要がある場合、プロセッサ３００はステップＳ８０１に戻り、必要がない場合、ステップＳ８０２に戻る。
【０１７８】
図９は、本発明の第１及び第２の実現形態による、基地局と各端末との間で求められるチャネル品質指標の一例である。
【０１７９】
図９の縦軸には、周波数帯が示される。横軸は、各端末ＴＥｉにより求められると共にダウンリンク多重化資源の利用を最適化するためにアップリンクチャネルを通じて基地局ＢＴＳに報告される、チャネル品質指標の値を表す。
【０１８０】
図９には、端末ＴＥ１〜ＴＥ３により求められるチャネル品質指標曲線を示す。
【０１８１】
基地局ＢＴＳは、このような曲線を使用して多重化資源を端末ＴＥ１〜ＴＥ３に割り振る。
【０１８２】
アップリンクチャネルの場合、アップリンク多重化資源の利用を最適化するために、基地局ＢＴＳは各アップリンクチャネルでのチャネル品質指標を求める。
【０１８３】
図１０ａは、本発明の第１及び第２の実現形態による、無線通信システムの多重化資源で基地局により端末に転送されるシンボルの一例である。
【０１８４】
図１０ａは、４個のシンボルがダウンリンクサブフレームの基準部に含まれ、２個のシンボルが補助ダウンリンクシンボルである一例を開示している。
【０１８５】
図１０ａは、１００１〜１０１２と記されている１２行及び１０５１〜１０５６と記されている６列の表を表す。各行１００１〜１０１２は、第１の実現形態によれば周波数チャンクを表し、又は第２の実現形態によれば符号を表す。各列１０５１〜１０５６はシンボルを表す。好ましくは、このような表は各サブフレーム毎に生成される。
【０１８６】
ここで、より多数の周波数チャンク又は符号を本発明において割り振ることができ、又はより少数の周波数チャンク又は符号を本発明において割り振ることができることに留意する必要がある。
【０１８７】
列１０５１はシンボルｓ１を表し、列１０５２はシンボルｓ２を表し、列１０５３はシンボルｓ３を表し、列１０５４はシンボルｓ４を表し、列１０５５は補助ダウンリンクシンボルｓ５を表し、列１０５６は補助ダウンリンクシンボルｓ６を表す。
【０１８８】
基地局ＢＴＳは、シンボルｓ１〜ｓ４に対して、１００１〜１００３及び１０１０〜１０１２と記されている周波数チャンク又は符号を端末ＴＥ１に割り振る。
【０１８９】
基地局ＢＴＳは、シンボルｓ１〜ｓ４に対して、１００４〜１００６と記されている周波数チャンク又は符号を端末ＴＥ２に割り振る。
【０１９０】
基地局ＢＴＳは、シンボルｓ１〜ｓ４に対して、１００７〜１００９と記されている周波数チャンク又は符号を端末ＴＥ３に割り振る。
【０１９１】
非限定的ではあるが、好ましくは、基地局ＢＴＳは、図６のダウンリンクサブフレームの基準部に含まれるすべてのシンボルｓ１〜ｓ４について、１つの端末ＴＥｉに同じ周波数チャンク又は符号を割り振る。
【０１９２】
図１０ａの例によれば、補助ダウンリンクシンボルｓ５の場合、基地局ＢＴＳは各多重化資源に１組のパイロットシーケンス要素ＰＳ１〜ＰＳ１２を割り当てる。補助ダウンリンクシンボルｓ６の場合、基地局ＢＴＳは各多重化資源に１組のパイロットシーケンス要素ＰＳ１３〜ＰＳ２４を割り当てる。
【０１９３】
図１０ｂは、本発明の第１及び第２の実現形態による、無線通信システムの多重化資源で基地局により端末に転送されるシンボルの一例である。
【０１９４】
図１０ｂは、４個のシンボルがダウンリンクサブフレームの基準部に含まれ、２個のシンボルが補助ダウンリンクシンボルである一例を開示している。
【０１９５】
図１０ｂは、１１０１〜１１１２と記されている１２行及び１１５１〜１１５６と記されている６列の表を表す。各行１１０１〜１１１２は、第１の実現形態によれば周波数チャンクを表し、又は第２の実現形態によれば符号を表す。各列１１５１〜１１５６はシンボルを表す。好ましくは、このような表は各サブフレーム毎に生成される。
【０１９６】
ここで、より多数の周波数チャンク又は符号を本発明において割り振ることができ、又はより少数の周波数チャンク又は符号を本発明において割り振ることができることに留意する必要がある。
【０１９７】
列１１５１はシンボルｓ１を表し、列１１５２はシンボルｓ２を表し、列１１５３はシンボルｓ３を表し、列１１５４はシンボルｓ４を表し、列１１５５は補助ダウンリンクシンボルｓ５を表し、列１１５６は補助ダウンリンクシンボルｓ６を表す。
【０１９８】
基地局ＢＴＳは、シンボルｓ１〜ｓ４に対して、１１０１〜１１０３及び１１１０〜１１１２と記されている周波数チャンク又は符号を端末ＴＥ１に割り振る。
【０１９９】
基地局ＢＴＳは、シンボルｓ１〜ｓ４に対して、１１０４〜１１０６と記されている周波数チャンク又は符号を端末ＴＥ２に割り振る。
【０２００】
基地局ＢＴＳは、シンボルｓ１〜ｓ４に対して、１１０７〜１１０９と記されている周波数チャンク又は符号を端末ＴＥ３に割り振る。
【０２０１】
非限定的ではあるが、好ましくは、基地局ＢＴＳは、図６のダウンリンクサブフレームの基準部に含まれるすべてのシンボルｓ１〜ｓ４について、１つの端末ＴＥｉに同じ周波数チャンク又は符号を割り振る。
【０２０２】
図１０ｂの例によれば、補助ダウンリンクシンボルｓ５の場合、基地局ＢＴＳは、多重化資源の一部、例として多重化資源１１０１、１１０４、１１０７、１１１０に１組のパイロットシーケンス要素ＰＳ４０〜ＰＳ４３を割り当て、残りの多重化リソースにはデータを割り当てる。
【０２０３】
好ましくは、基地局ＢＴＳは、各端末ＴＥｉに割り振られた１つの多重化資源に１組のパイロットシーケンス要素を割り当てる。
【０２０４】
補助ダウンリンクシンボルｓ６の場合、基地局ＢＴＳは各多重化資源にデータを割り当てる。
【０２０５】
図１０ｃは、本発明の第１及び第２の実現形態による、無線通信システムの多重化資源で基地局により端末に転送されるシンボルの一例である。
【０２０６】
図１０ｃは、４個のシンボルがダウンリンクサブフレームの基準部に含まれ、２個のシンボルが補助ダウンリンクシンボルである一例を開示している。
【０２０７】
図１０ｃは、１２０１〜１２１２と記されている１２行及び１２５１〜１２５６と記されている６列の表を表す。各行１２０１〜１２１２は、第１の実現形態によれば周波数チャンクを表し、又は第２の実現形態によれば符号を表し、各列１２５１〜１２５６はシンボルを表す。好ましくは、このような表は各サブフレーム毎に生成される。
【０２０８】
ここで、より多数の周波数チャンク又は符号を本発明において割り振ることができ、又はより少数の周波数チャンク又は符号を本発明において割り振ることができることに留意する必要がある。
【０２０９】
列１２５１はシンボルｓ１を表し、列１２５２はシンボルｓ２を表し、列１２５３はシンボルｓ３を表し、列１２５４はシンボルｓ４を表し、列１２５５は補助ダウンリンクシンボルｓ５を表し、列１２５６は補助ダウンリンクシンボルｓ６を表す。
【０２１０】
基地局ＢＴＳは、シンボルｓ１〜ｓ４に対して、１２０１〜１２０３及び１２１０〜１２１２と記されている周波数チャンク又は符号を端末ＴＥ１に割り振る。
【０２１１】
基地局ＢＴＳは、シンボルｓ１〜ｓ４に対して、１２０４〜１２０６と記されている周波数チャンク又は符号を端末ＴＥ２に割り振る。
【０２１２】
基地局ＢＴＳは、シンボルｓ１〜ｓ４に対して、１２０７〜１２０９と記されている周波数チャンク又は符号を端末ＴＥ３に割り振る。
【０２１３】
基地局ＢＴＳは、図６のダウンリンクサブフレームの基準部に含まれるシンボルｓ１〜ｓ４のすべてについて、１つの端末ＴＥｉに同じ周波数チャンク又は符号を割り振る。
【０２１４】
図１０ｃの例によれば、補助ダウンリンクシンボルｓ５の場合、基地局ＢＴＳは、多重化資源の一部、例として多重化資源１２０１、１２０４、１２０７、１２１０に１組のパイロットシーケンス要素ＰＳ４０〜ＰＳ４３を割り当てる。
【０２１５】
好ましくは、基地局ＢＴＳは各端末ＴＥｉに割り振られた１つの多重化資源に１組のパイロットシーケンス要素を割り当てる。パイロットシンボルＰＳ４０及びＰＳ４３は、端末ＴＥ２及び／又はＴＥ３によりチャネル推定に使用される。
【０２１６】
一変形では、補助ダウンリンクシンボルｓ５の場合、基地局ＢＴＳは、多重化資源１２０４及び１２０７にのみ１組のパイロットシーケンス要素ＰＳ４１及びＰＳ４２を割り当てる。端末ＴＥ１はいかなる補助シンボルも送信又は受信することができないため、パイロットシーケンス要素ＰＳ４０及びＰＳ４３の組に多重化資源は割り当てられない。
【０２１７】
図１０ｄは、本発明の第１及び第２の実現形態による、割り振られた無線通信システムの多重化資源で端末により基地局に転送されるシンボルの一例である。
【０２１８】
図１０ｄは、４個のシンボルがアップリンクサブフレームの基準部に含まれ、２個のシンボルが補助アップリンクシンボルである一例を開示している。
【０２１９】
図１０ｄは、１３０１〜１３１２と記されている１２行及び１３５１〜１３５６と記されている６列の表を表す。各行１３０１〜１３１２は、第１の実現形態によれば周波数チャンクを表し、又は第２の実現形態によれば符号を表し、各列１３５１〜１３５６はシンボルを表す。好ましくは、このような表は各サブフレーム毎に生成される。
【０２２０】
ここで、より多数の周波数チャンク又は符号を本発明において割り振ることができ、又はより少数の周波数チャンク又は符号を本発明において割り振ることができることに留意する必要がある。
【０２２１】
列１３５１はアップリンクサブフレームの基準部の第１のシンボルを表し、列１３５２はアップリンクサブフレームの基準部の第２のシンボルを表し、列１３５３はアップリンクサブフレームの基準部の第３のシンボルを表し、列１３５４はアップリンクサブフレームの基準部の第４のシンボルを表し、列１３５５は第１の補助シンボルを表し、列１３５６は第２の補助シンボルを表す。
【０２２２】
基地局ＢＴＳは、アップリンクサブフレームの基準部のシンボルに対して、１３０１〜１３０３及び１３１０〜１３１２と記されている周波数チャンク又は符号を端末ＴＥ１に割り振る。
【０２２３】
基地局ＢＴＳは、アップリンクサブフレームの基準部のシンボルに対して、１３０４〜１３０６と記されている周波数チャンク又は符号を端末ＴＥ２に割り振る。
【０２２４】
基地局ＢＴＳは、アップリンクサブフレームの基準部のシンボルに対して、１３０７〜１３０９と記されている周波数チャンク又は符号を端末ＴＥ３に割り振る。
【０２２５】
非限定的ではあるが、好ましくは、基地局ＢＴＳは、アップリンクサブフレームの基準部に含まれるすべてのシンボルについて、及び、存在する場合には補助アップリンクシンボルについて、１つの端末ＴＥｉに同じ周波数チャンク又は符号を割り振る。
【０２２６】
図１０ｄの例によれば、補助アップリンクシンボルを送信できる各端末ＴＥｉは、その端末に割り振られた各多重化資源に、複数組のパイロットシーケンス要素ＰＳ５０〜ＰＳ５５を割り当てる。
【０２２７】
端末ＴＥ２は、複数組のパイロットシーケンス要素ＰＳ５０〜ＰＳ５２を各多重化資源１３０４、１３０５、及び１３０６に割り当てる。
【０２２８】
端末ＴＥ３は、複数組のパイロットシーケンス要素ＰＳ５３〜ＰＳ５５を各多重化資源１３０７、１３０８、及び１３０９に割り当てる。
【０２２９】
補助アップリンクシンボルをもう１つ送信できる各端末ＴＥｉは、その端末に割り振られた各多重化資源に、１組のパイロットシーケンス要素ＰＳ５６〜ＰＳ５８を割り当てる。
【０２３０】
端末ＴＥ３は、複数組のパイロットシーケンス要素ＰＳ５６〜ＰＳ５８を各多重化資源１３０７、１３０８、及び１３０９に割り当てる。
【０２３１】
一変形では、補助アップリンクシンボルを送信できる各端末ＴＥｉは、割り振られた１つの多重化資源に１組のパイロットシーケンス要素を割り当てる。
【０２３２】
一変形では、補助アップリンクシンボルを送信できる各端末ＴＥｉは、その端末ＴＥｉに割り振られた少なくとも１つの多重化資源に１組のパイロットシーケンス要素を割り当て、その端末ＴＥｉに割り振られたその他の多重化資源はデータの転送に使用される。
【０２３３】
一変形では、補助アップリンクシンボルを送信できる各端末ＴＥｉは、アップリンクサブフレームの基準部に含まれるシンボルの多重化のために端末ＴＥｉに割り振られたものではない少なくとも１つの多重化資源に、１組のパイロットシーケンス要素を割り当てる。
【０２３４】
図１１は、本発明の第３の実現形態による、基地局と各端末との間で求められるチャネル品質指標の一例である。
【０２３５】
図１１の縦軸には、異なるビームであるビーム１〜ビーム４が示され、且つ横軸は、各端末ＴＥｉにより求められると共にダウンリンク多重化資源の利用を最適化するためにアップリンクチャネルを通じて基地局ＢＴＳに報告されるチャネル品質指標の値を表す。
【０２３６】
図１１には、端末ＴＥ１〜ＴＥ３により求められるチャネル品質指標の曲線が示される。
【０２３７】
基地局ＢＴＳは、このような曲線を使用して、多重化資源を端末ＴＥ１〜ＴＥ３に割り振る。
【０２３８】
アップリンクチャネルの場合、基地局ＢＴＳは、アップリンク多重化資源の利用を最適化するために、各アップリンクチャネルのチャネル品質指標を求める。
【０２３９】
図１２は、本発明の第３の実現形態による、割り振られた無線通信システムの多重化資源で基地局により端末に転送されるシンボルの一例である。
【０２４０】
図１２は、４個のシンボルがダウンリンクサブフレームの基準部に含まれ、２個のシンボルが補助シンボルである一例を開示している。
【０２４１】
図１２は、１２０〜１２３と記されている４行及び１２４〜１２９と記されている６列の表を表す。各行１２０〜１２３は、第３の実現形態により基地局ＢＴＳにより信号が向けられるビーム又はエリアを表し、各列１２４〜１２９は図６のシンボルを表す。このような表は、好ましくは各サブフレーム毎に生成される。
【０２４２】
列１２４はシンボルｓ１を表し、列１２５はシンボルｓ２を表し、列１２６はシンボルｓ３を表し、列１２７はシンボルｓ４を表し、列１２８は補助シンボルｓ５を表し、列１２９は補助シンボルｓ６を表す。
【０２４３】
基地局ＢＴＳは、シンボルｓ１〜ｓ４に対して、１２０及び１２１と記されているビーム１及びビーム２を端末ＴＥ１に割り振る。
【０２４４】
基地局ＢＴＳは、シンボルｓ１〜ｓ４に対して、１２２と記されているビーム３を端末ＴＥ２に割り振る。
【０２４５】
基地局ＢＴＳは、シンボルｓ１〜ｓ４に対して、１２３と記されているビーム４を端末ＴＥ３に割り振る。
【０２４６】
図１２の例によれば、補助ダウンリンクシンボルｓ５の場合、基地局ＢＴＳは各多重化資源に１組のパイロットシーケンス要素ＰＳａ〜ＰＳｄを割り当てる。補助ダウンリンクシンボルｓ６の場合、基地局ＢＴＳは各多重化資源に１組のパイロットシーケンス要素ＰＳｅ〜ＰＳｈを割り当てる。
【０２４７】
ここで、本発明の第１及び第２の実現形態での図１０を参照して示す異なる割り振り方式も第３の実現形態に適用可能なことに留意する必要がある。
【０２４８】
当然ながら、本発明の範囲から逸脱することなく、上述した本発明の実施形態に多くの変更を行うことが可能である。
【図面の簡単な説明】
【０２４９】
【図１】本発明が実施される無線通信システムの構造を表す図である。
【図２】本発明による無線通信システムの基地局の構造を表す図である。
【図３】本発明による無線通信システムの端末の構造を表す図である。
【図４】従来のＨＤ／ＯＦＤＭフレームの構造を示すクロノグラムである。
【図５】従来技術による通信システムのダウンリンクでの情報の送信を示すクロノグラムである。
【図６】従来技術による通信システムのダウンリンクでの情報の送信を示すクロノグラムである。
【図７】本発明による基地局により実行されるアルゴリズムである。
【図８】本発明による端末により実行されるアルゴリズムである。
【図９】本発明の第１及び第２の実現形態により基地局と各端末との間で求められるチャネル品質指標の一例である。
【図１０ａ】本発明の第１及び第２の実現形態による、基地局により無線通信システムの多重化資源で端末に転送されるシンボルの一例である。
【図１０ｂ】本発明の第１及び第２の実現形態による、基地局により無線通信システムの多重化資源で端末に転送されるシンボルの例である。
【図１０ｃ】本発明の第１及び第２の実現形態による、基地局により無線通信システムの多重化資源で端末に転送されるシンボルの一例である。
【図１０ｄ】本発明の第１及び第２の実現形態による、端末により、割り振られた無線通信システムの多重化資源で基地局に転送されるシンボルの一例である。
【図１１】本発明の第３の実現形態による、基地局と各端末との間で求められるチャネル品質指標の一例である。
【図１２】本発明の第３の実現形態による、割り振られた無線通信システムの多重化資源で基地局により端末に転送されるシンボルの例である。
【図１】
2008125067.tif 000003
【図２】
2008125067.tif 000004
【図３】
2008125067.tif 000005
【図４】
2008125067.tif 000006
【図５】
2008125067.tif 000007
【図６】
2008125067.tif 000008
【図７】
2008125067.tif 000009
【図８】
2008125067.tif 000010
【図９】
2008125067.tif 000011
【図１０ａ】
2008125067.tif 000012
【図１０ｂ】
2008125067.tif 000013
【図１０ｃ】
2008125067.tif 000014
【図１０ｄ】
2008125067.tif 000015
【図１１】
2008125067.tif 000016
【図１２】
2008125067.tif 000017
【外国語明細書】
2008125067.tif 000018
2008125067.tif 000019
2008125067.tif 000020
2008125067.tif 000021
2008125067.tif 000022
2008125067.tif 000023
2008125067.tif 000024
2008125067.tif 000025
2008125067.tif 000026
2008125067.tif 000027
2008125067.tif 000028
2008125067.tif 000029
2008125067.tif 000030
2008125067.tif 000031
2008125067.tif 000032
2008125067.tif 000033
2008125067.tif 000034
2008125067.tif 000035
2008125067.tif 000036
2008125067.tif 000037
2008125067.tif 000038
2008125067.tif 000039
2008125067.tif 000040
2008125067.tif 000041
2008125067.tif 000042
2008125067.tif 000043
2008125067.tif 000044
2008125067.tif 000045
2008125067.tif 000046
2008125067.tif 000047
2008125067.tif 000048
2008125067.tif 000049
2008125067.tif 000050
2008125067.tif 000051
2008125067.tif 000052
2008125067.tif 000053
2008125067.tif 000054
2008125067.tif 000055
2008125067.tif 000056
2008125067.tif 000057
2008125067.tif 000058
2008125067.tif 000059
2008125067.tif 000060